(57)【特許請求の範囲】
【請求項１】
弾性的に撓む板材を材料とする縦長の本体パネル(1)と、前記本体パネル(1)の幅方向に長さ方向が対応して取付面(f)に取り付けられる帯板状の取付具(2)とから成り、
前記本体パネル(1)は、各種付属物を取り付ける正面板部(11)の両側に、後方及び内側へ順次巻き込むように折れ曲がる抱持部(12)を連設し、各種付属物を係止して取り付けるための係止穴(13)を、横方向に列をなすように複数個並べて形成し、この係止穴(13)の横方向の列を上下方向に間隔をあけて複数列配置した構成とし、
前記取付具(2)は、取付面(f)に当接して固定される固定部(21)の両側に、前方へ折れ曲がり外側へ張り出すように屈曲した被嵌部(22)を連設し、取付面(f)に固定するためのビス又は釘を挿通する挿通穴(23)を、本体パネル(1)の係止穴(13)の横方向のピッチと同一のピッチで複数個形成した構成とし、
取付面(f)における取り付けたい位置に前記本体パネル(1)を添え当て、前記取付具(2)を固定する位置を決めるため、適当な高さ位置において、横方向に列をなす係止穴(13)を介して取付面(f)に印を付け、
取付面(f)に付けた印に前記取付具(2)の挿通穴(23)の位置を合わせ、前記挿通穴(23)を介して取付面(f)にビスをねじ込み、又は釘を打ち込むことにより、前記取付具(2)を取付面(f)に固定し、
前記本体パネル(1)を取付具(2)に押し付けると、本体パネル(1)の両側の抱持部(12)が取付具(2)の被嵌部(22)に沿って押し広げられるように変形し、その後復元して、本体パネル(1)が取付具(2)に係合し、取付面(f)に取り付けられるようにした多機能ボード。
【発明の詳細な説明】
【技術分野】
【０００１】
この発明は、玄関の壁面やドア内面への取り付けに適した多機能ボードに関する。
【背景技術】
【０００２】
下記特許文献１には、玄関の壁面等の取付面に取り付けて、帽子や上着等を掛けるフックを設ける機能ボードとして、全体として等身大の高さで取付面に直接固定される化粧パネルと、その上端水平部に隣接して取付面に直接固定され、小物を吊り下げるフックを移動可能に設けるレールとを備え、また、化粧パネルの側方に全身が映る大きさを有し取付面に直接固定される鏡を備えたものが記載されている。
【先行技術文献】
【特許文献】
【０００３】
【特許文献１】登録実用新案第３１９１７７７号公報
【発明の概要】
【発明が解決しようとする課題】
【０００４】
しかしながら、上記のような機能ボードは、取付面への取り付けに際し、大きく重い化粧パネルや鏡を仮保持して位置決めしつつ、ビスで固定する等の作業を要し、個人で家庭的に取り付けるのが困難であることから、施工業者に依頼せざるを得ず、工事費用が嵩むという問題がある。
【０００５】
そこで、この発明は、玄関の壁面やドア内面に家庭で容易に取り付けられ、様々な小物を掛けるフックのほか棚や鏡、傘立て等を設けて使用できる多機能ボードを提供しようとするものである。
【課題を解決するための手段】
【０００６】
上記課題を解決するため、この発明は、弾性的に撓む板材を材料とする縦長の本体パネルと、その幅方向に長さが対応する帯板状の取付具とから成り、前記本体パネルは、各種付属物を取り付ける正面板部の両側に、後方及び内側へ順次巻き込むように折れ曲がる抱持部を連設した構成とし、前記取付具は、取付面に当接して固定される固定部の両側に、前方へ折れ曲がり外側へ張り出すように屈曲した被嵌部を連設した構成とし、前記本体パネルを取付具に押し付けると、本体パネルの両側の抱持部が取付具の被嵌部に沿って押し広げられるように変形し、その後復元して、本体パネルが取付具に係合し、取付面に取り付けられるようにした多機能ボードを提供することとしたのである。
【０００７】
また、前記本体パネルには、各種付属物を係止するための係止穴を、横方向に列をなすように複数個並べて形成し、この係止穴の横方向の列を上下方向に間隔をあけて複数列配置し、前記取付具には、取付面に固定するためのビス又は釘を挿通する挿通穴を、本体パネルの係止穴の横方向のピッチと同一のピッチで複数個形成したのである。
【発明の効果】
【０００８】
この発明に係る多機能ボードは、各種付属物を取り付ける本体パネルを、帯板状の取付具を介して取付面に間接的に取り付けるようにしたため、施工業者に依頼することなく、家庭で本体パネルを取付面に容易に取り付けることができる。
【０００９】
また、本体パネルの係止穴を介して取付面に印を付け、その印に取付具の挿通穴の位置を合わせることにより、取付具を取付面に対して容易に位置決めできる。
【図面の簡単な説明】
【００１０】
【図１】この発明に係る多機能ボードの取付面への取付状態及びその本体パネルへの各種付属物の付設過程を示す斜視図
【図２】同上の本体パネルとその補強材及び上下のキャップを示す分解斜視図
【図３】同上の多機能ボードの取付面への取付作業における（ａ）取付具の位置決め工程を示す斜視図、（ｂ）取付具の固定状態を示す斜視図
【図４】同上の多機能ボードのドアへの取付過程を示す斜視図
【図５】同上の各種付属物の付設状態を示す斜視図
【図６】同上の多機能ボードの使用状態を示す斜視図
【図７】同上の多機能ボードの壁面への床置きでの取付過程を示す斜視図
【図８】同上の多機能ボードの取付状態を示す斜視図
【図９】図１及び図８のIX−IX断面図
【図１０】図１のＸ−Ｘ断面図
【発明を実施するための形態】
【００１１】
以下、この発明の実施形態を添付図面に基づいて説明する。
【００１２】
図１に示すように、この多機能ボードは、鏡３１や棚３２のほか、フック３３や傘ホルダー３４，３５等の付属物を取り付ける本体パネル１と、これを玄関のドアの内面や壁面等の取付面ｆに取り付けるための取付具２とから構成される。
【００１３】
図２に示す本体パネル１は、弾性的に撓むように厚さ０．５ｍｍ程度の薄い鋼板を材料とし、表面に木目フィルムが貼着され、高さが１６０ｃｍ、幅が２３ｃｍ程度の縦長であり、主要部分である正面板部１１の両側に、後方及び内側へ順次巻き込むように折れ曲がる抱持部１２を連設した形状とされている。
【００１４】
正面板部１１には、各種付属物を係止して取り付けるための係止穴１３が横方向に列をなすように８ｃｍ程度の間隔をあけて３個ずつ形成され、この係止穴１３の横方向の列が上下方向に間隔をあけて複数列配置されている。
【００１５】
本体パネル１の裏側には、角材である補強材１４が長さ方向を上下に向けて２本添え当てられ、本体パネル１の上端部及び下端部には、シリコン樹脂製のキャップ１５が嵌着されて、本体パネル１と補強材１４とが一体化されている。
【００１６】
図３に示す取付具２は、本体パネル１の幅方向に長さが対応する帯板状の鋼材であり、玄関の壁面やドアの内面等の取付面に当接して固定される固定部２１の両側に、前方へ折れ曲がり外側へ張り出すように屈曲した被嵌部２２を連設したものとされている。
【００１７】
固定部２１には、本体パネル１の係止穴１３の横方向のピッチと同一のピッチで、３個の挿通穴２３が並ぶように形成されている。
【００１８】
ここで、図９に示すように、本体パネル１の対向する抱持部１２の内端の間隔Ｄに対して、取付具２の対向する被嵌部２２の先端の間隔Ａは狭く、被嵌部２２の中間の屈曲部の間隔Ｂは広く、被嵌部２２の基部の間隔Ｃは狭くなっている。
【００１９】
このような多機能ボードを取付面ｆに取り付けるには、図３（ａ）に示すように、取付面ｆにおける取り付けたい位置に本体パネル１を添え当て、取付具２を固定する位置を決めるため、適当な高さ位置において、横方向に列をなす係止穴１３を介して、鉛筆等の筆記具により取付面ｆに印を付ける。
【００２０】
また、図３（ｂ）に示すように、取付具２の固定部２１の裏面に、挿通穴２３に対応する穴を開けた両面テープ２０を貼り付けておき、取付面ｆに付けた印に取付具２の挿通穴２３の位置を合わせ、取付具２を取付面ｆに仮固定する。
【００２１】
次に、挿通穴２３を介して取付面ｆに木ねじのビス２４をねじ込み、取付具２を取付面ｆにしっかりと固定する。なお、取付面ｆが石膏ボードである場合には、ビス２４に代えて、石膏ボード用の釘を打ち込む。
【００２２】
ここで、本体パネル１を床から浮かして取り付ける場合には、図４に示すように、本体パネル１の上部と下部に対応して、２個の取付具２を取付面ｆに固定し、また、下方の取付具２の下縁に沿わせて、Ｌ型の鋼材である支持具３を固定する。支持具３の取付面ｆに沿う面には、取付具２と同様に、ビス又は釘を挿通する挿通穴を形成しておき、取付具２と同様に支持具３を取付面ｆに固定する。
【００２３】
そして、本体パネル１を取付具２に押し付けると、本体パネル１の両側の抱持部１２が取付具２の被嵌部２２に沿って押し広げられるように変形し、その後、弾性により復元して、図９に示すように、本体パネル１の抱持部１２が取付具２の被嵌部２２に係合し、本体パネル１が取付面ｆに取り付けられる。
【００２４】
このとき、図１０に示すように、本体パネル１の下端のキャップ１５を、支持具３の前方に突出するフランジ部に載せるように沿わせ、本体パネル１を支持具３で下方から受け止めるように支持すると、本体パネル１の重量による下方へのずれが防止される。
【００２５】
このように取付面ｆに取り付けた多機能ボードには、例えば、図１及び図５に示すように、付属物として、本体パネル１の正面板部１１の上部に鏡３１を磁石により取り付け、小物を載せる棚３２を、係止穴１３に両端を差し込んで係止した棚用ワイヤーフレーム３２ａにより係止し、様々な物を吊り下げるフック３３を、固定ゴム３６を用いて係止穴１３に係止することができる。
【００２６】
また、傘の柄側を保持するようにワイヤーを曲げた上方の傘ホルダー３４を、固定ゴム３６を用いて係止穴１３に係止すると共に、傘の先端部を受け止めるトレイ状となった下方の傘ホルダー３５を、係止穴１３に両端を差し込んで係止した傘受け用ワイヤーフレーム３５ａにより、ステンレス板３５ｂに載せて支持することができる。
【００２７】
そして、図６に示すように、フック３３に靴べらや洋服ブラシを掛けておき、傘ホルダー３４，３５に傘を挿入しておくと、外出する際、鏡３１を見て身だしなみを整え、靴べらを用いて靴を履き、雨天時には、傘をキャビネット等から取り出すことなく持ち出すことができ、帰宅時には、洋服ブラシで上着等に付着した埃を払うことができる。
【００２８】
ところで、図１、図４、図５及び図６においては、玄関のドア４０の内面に多機能ボードを取り付ける場合を例示したが、図７及び図８に示すように、玄関の壁４１に多機能ボードを取り付ける場合には、本体パネル１を床に置くようにしてもよい。この場合、本体パネル１の下方へのずれや下部の迫り出しを防止する必要がないので、本体パネル１の上部のみ、取付具２で壁４１に固定すればよい。
【符号の説明】
【００２９】
１  本体パネル
２  取付具
３  支持具
１１  正面板部
１２  抱持部
１３  係止穴
１４  補強材
１５  キャップ
２０  両面テープ
２１  固定部
２２  被嵌部
２３  挿通穴
２４  ビス
３１  鏡
３２  棚
３２ａ  棚用ワイヤーフレーム
３３  フック
３４，３５  傘ホルダー
３５ａ  傘受け用ワイヤーフレーム
３５ｂ  ステンレス板
３６  固定ゴム
４０  ドア
４１  壁
ｆ  取付面
【図１】
0006542588.tif 000002
【図２】
0006542588.tif 000003
【図３】
0006542588.tif 000004
【図４】
0006542588.tif 000005
【図５】
0006542588.tif 000006
【図６】
0006542588.tif 000007
【図７】
0006542588.tif 000008
【図８】
0006542588.tif 000009
【図９】
0006542588.tif 000010
【図１０】
0006542588.tif 000011